(57)【要約】【課題】  パターン間の干渉を防止するパターン安全装置を提供する。【解決手段】  本発明は、基板の一面に形成された多数個のパターンにおける回路素子が装着される接着領域で別途の区画された空間を形成することによりパターン間の干渉を防止することができるパターン安全装置を提供する。【選択図】図１
2016511547.tif 000002
【特許請求の範囲】
【請求項１】
基板の一面に伝導性物質が塗布されて電源が通電できるように電極が多数個の区域に分割および区画され、互いに異なる電気的信号を伝達する多数個のパターンと、
電気的信号が入出力される一つ以上の端子が、前記多数のパターンのうち互いに異なるパターンから電気的信号を受信するように前記一つ以上のパターンにわたって形成される接着領域に接着される回路素子と、
前記接着領域内で前記パターンの間で一つ以上がエッチングされ、前記パターンの間に絶縁された一つ以上の領域に区画される遮断パターンとを含むことを特徴とする、パターン間の干渉を防止するパターン安全装置。
【請求項２】
前記遮断パターンは、
エッチング線の上側に離隔して横方向に延びる一つ以上の上部横線と、前記エッチング線の下側に離隔して横方向に延びる一つ以上の下部横線によって区画された遮断パターン領域を含むことを特徴とする、請求項１に記載のパターン間の干渉を防止するパターン安全装置。
【請求項３】
前記遮断パターンは、
前記エッチング線の一側に離隔して縦方向に延びる一つ以上の一側縦線と、前記エッチング線の他側に離隔して縦方向に延びる一つ以上の他側縦線によって区画されることを特徴とする、請求項１に記載のパターン間の干渉を防止するパターン安全装置。
【請求項４】
前記遮断パターンは、
上部横線と下部横線の両端から縦方向に延びる一つ以上の側部縦線によって区画されることを特徴とする、請求項３に記載のパターン間の干渉を防止するパターン安全装置。
【請求項５】
前記遮断パターンは、
前記一側縦線と他側縦線との間でエッチングされ、横方向に延びる一つ以上の側部横線によって区画されることを特徴とする、請求項３に記載のパターン間の干渉を防止するパターン安全装置。
【発明の詳細な説明】
【技術分野】
【０００１】
本発明は、パターン間の干渉を防止するパターン安全装置に係り、さらに詳しくは、基板の一面に形成された多数個のパターンにおける回路素子が装着される接着領域で別途の区画された空間を形成することにより、パターン間の干渉を防止することができるパターン安全装置に関する。
【背景技術】
【０００２】
一般に屋外で使用される発光装置としては、ネオンや冷陰極放電管（ＣＣＬ：Ｃｏｌｄ  Ｃａｔｈｏｄｅ  Ｌａｍｐ）、発光ダイオード（ＬＥＤ：Ｌｉｇｈｔ  Ｅｍｉｔｔｉｎｇ  Ｄｉｏｄｅ）を用いた電光板などが広く使われている。また、屋内で使用される発光装置としては、外部電極蛍光ランプ（ＥＥＦＬ：Ｅｘｔｅｒｎａｌ  Ｅｌｅｃｔｒｏｄｅ  Ｆｌｕｏｒｅｓｃｅｎｔ  Ｌａｍｐ）、冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）、発光ダイオード電光板などが使われている。
【０００３】
ここで、ネオンや冷陰極放電管は、高圧の電源を用いるため、電力消耗が多く、感電および火災のリスクがあり、寿命が短いという欠点がある。また、ＥＥＦＬやＣＣＦＬは、高周波を使用するという点で、屋外での使用が困難であり、照度が低く、寿命も短いという欠点がある。
【０００４】
また、ＬＥＤを使用する電光板の場合、背面の電線の処理や黒膜処理などにより発光する面の裏面はカバーによって塞がれており、一方向のみで発光するという特徴がある。
【０００５】
一方、近年では、発光装置を、単に照明のみとして使用するよりは広告看板として使用し、美的感覚が付加されたデザインでインテリアなどに広く使用している。
【０００６】
このような発光装置は、基板の一面に透明電極または有色電極を形成し、エッチングによってパターンが形成される回路を備え、前記パターンと電気的に通電できるように回路素子が装着されることにより体積を減らすことができ、優れた審美感を示すという利点を持つ。
【０００７】
この中でも、基板の一面に回路素子が接着されて駆動できるようにパターンが形成される発光装置として、韓国特許公開第２００８−０１０１２５０号（２００８年１１月２１日公開）に開示された透明電光板を一例として挙げて説明する。従来の透明電光板は２〜４電極発光素子が透明電光板の透明電極に伝導性接着剤が塗布されて接着される。
【０００８】
しかし、従来の透明電光板は、透明電極のエッチングによって形成される多数本の配線を介してそれぞれの配線が絶縁されなければならないが、発光素子の接着の際に塗布される接着液にその量、時間および位置に応じて広がり現象が発生することにより他の電極領域へ伝導性接着液が広がることになり、これにより、互いに異なる電極領域に塗布された伝導性接着剤が他のパターンに塗布される接着剤と接触することによりショートが発生するか、或いは美観上の伝導性接着液の塗布が肉眼で確認されることにより審美感を低下させるなどのパターン間の干渉が発生した。
【０００９】
これは透明電光板におけるパターン間の干渉による問題点を一例として説明したものであるが、前述のように電気的信号が入出力されるパターンと前記パターンに接着される回路素子を介して駆動されるすべての装置にわたって、上述したようなパターン間の干渉によってショートや審美感の低下などの不良が発生しており、これに対する改善策が早急に求められている。
【発明の概要】
【発明が解決しようとする課題】
【００１０】
本発明は、前述したような従来の問題点を解決するためになされたもので、その目的は、基板の一面に形成された多数個のパターンにおける回路素子が装着される接着領域で別途の区画された空間を形成することにより、パターン間の干渉を防止することができるパターン安全装置を提供することにある。
【課題を解決するための手段】
【００１１】
本発明に係るパターン間の干渉を防止するためのパターン安全装置は、基板の一面に伝導性物質が塗布されて電源が通電可能な電極に形成される多数個のパターンに接着される回路素子が互いに異なるパターンから電気的信号を受信するように一つ以上のパターンにわたって形成される接着領域を絶縁された一つ以上の区画に形成させた遮断パターンを備えることにより、他の電極やパターンに塗布された伝導性物質の広がりを遮断させる。
【発明の効果】
【００１２】
本発明は、回路素子が装着されるパターンの間に、絶縁および分割されるように遮断パターンを形成することにより、伝導性および非伝導性接着剤の広がりによるショートおよび接着領域の外側への広がりを遮断することができて、回路素子がパターンに接着されるすべての装置でショートおよび審美感の低下などの不良を防止することができ、その構成および作業の難易度が非常に低いので、パターンによる回路素子の電気的通電が可能なすべての装置に汎用的に適用可能であって経済的な効果を得ることができる。
【図面の簡単な説明】
【００１３】
【図１】本発明に係るパターン間の干渉を防止するパターン安全装置を備えた透明電光板を示す図である。
【図２】本発明に係るパターン間の干渉を防止するパターン安全装置を備えた透明電光板における発光素子を拡大して示す図である。
【図３】本発明に係るパターン間の干渉を防止するパターン安全装置の遮断パターンを示す図である。
【図４】本発明に係るパターン間の干渉を防止するパターン安全装置における遮断パターンの第１実施例を示す図である。
【図５】本発明に係るパターン間の干渉を防止するパターン安全装置における遮断パターンの第２実施例を示す図である。
【図６】本発明に係るパターン間の干渉を防止するパターン安全装置における遮断パターンの第３実施例を示す図である。
【発明を実施するための形態】
【００１４】
本発明は、上記の目的を達成するために、下記の実施例を含む。
【００１５】
本発明に係るパターン間の干渉を防止するパターン安全装置において、基板の一面に伝導性物質が塗布されて電源が通電できるように電極が多数個の区域に分割および区画され、互いに異なる電気的信号を伝達する多数個のパターンと；電気的信号が入出力される１つ以上の端子が、前記多数個のパターンのうち互いに異なるパターンから電気的信号を受信するように前記一つ以上のパターンにわたって形成される接着領域に接着される回路素子と；前記接着領域内で前記パターンの間で１つ以上がエッチングされ、前記パターンの間に絶縁された一つ以上の領域に区画される遮断パターンとを含むことが好ましい。
【００１６】
本発明の他の実施例において、前記遮断パターンは、前記エッチング線の上側に離隔して横方向に延びる一つ以上の上部横線と、前記エッチング線の下側に離隔して横方向に延びる一つ以上の下部横線によって区画された遮断パターン領域とを含むことが好ましい。
【００１７】
本発明の別の実施例において、前記遮断パターンは、前記エッチング線の一側に離隔して縦方向に延びる一つ以上の一側縦線と、前記エッチング線の他側に離隔して縦方向に延びる一つ以上の他側縦線によって区画されることを特徴とする。
【００１８】
本発明の別の実施例において、前記遮断パターンは、前記上部横線と前記下部横線の両端から縦方向に延びる一つ以上の側部縦線によって区画される遮断パターン領域を含む。
【００１９】
本発明の別の実施例において、前記遮断パターンは、前記一側縦線と他側縦線との間でエッチングされ、横方向に延びる一つ以上の側部横線によって区画されることを特徴とする。
【実施例】
【００２０】
以下に添付図面を参照しながら、本発明に係るパターン間の干渉を防止するパターン安全装置の好適な実施例を詳細に説明する。
本発明は、上述した目的および効果で記載しているように、電気的信号を伝達するパターンと、前記パターンによって伝達される電気的信号によって駆動される回路素子または発光素子とを備えたいずれの装置にも適用可能である。
【００２１】
このような本発明の技術的思想を説明するために、透明電光板の透明電極で分割される多数個のパターンと、前記多数個のパターンの一面に接着される発光素子を一例として以下で説明する。ところが、本発明の技術的思想は透明電光板に限定されない。
【００２２】
図１は本発明に係るパターン間の干渉を防止するパターン安全装置を備えた透明電光板を示す図、図２は本発明に係るパターン間の干渉を防止するパターン安全装置を備えた透明電光板における発光素子を拡大して示す図である。
【００２３】
図１〜図２を参照すると、本発明に係る透明電光板の発光素子３０接着装置は、透明基板１０と、前記透明基板１０の一面に伝導性物質が塗布されて電源が通電される透明電極２０と、前記透明電極２０によって通電される電源で発光する多数個の発光素子３０と、前記発光素子を接着させるために塗布される接着剤を他のパターンへ流れないように遮断する遮断パターン４０（図３参照）とを含む。
【００２４】
前記透明基板１０は、例えば、ガラス板のように光透過性材質からなる基板であって、一側には前記透明電極２０へ電源を供給するコネクタ１１が形成される。また、前記コネクタ１１は、透明伝導性テープであって、外側に位置したコントローラによって制御信号を受信し、前記透明電極２０に接着された発光素子３０に電源を印加する。ここで、前記コントローラ（図示せず）は、一般に公知になった構成であることにより、図面および詳細な説明で省略された。
【００２５】
前記透明電極２０は、前記透明基板１０の一面に伝導性物質が塗布され、前記コネクタ１１から印加された電源を通電させる。ここで、前記透明電極２０は、透明基板１０の一面全体にわたって形成され、エッチングによって各発光素子３０の端子別に接続されるパターン２１〜２４に分割および区画される。それぞれのパターン２１〜２４は、エッチング工程によって相互分離されることにより、絶縁状態を維持する。
【００２６】
前記パターン２１〜２４は、前記発光素子３０の端子数と一致するパターンで実現される。たとえば、前記パターンは、前記発光素子３０（例えば、４電極素子）のＲ、Ｇ、Ｂの色で発光する第１〜第３アノード端子３１〜３３とカソード端子３４を含んでいると、前記発光素子３０の第１〜第３アノード端子３１〜３３とカソード端子３４にそれぞれ接続される合計４つのパターンから形成される。
【００２７】
前記パターン２１〜２４は、図１のＡ部分を拡大して示す図２によって説明する。前記パターン２１〜２４は、前記発光素子３０の第１アノード端子３１に接続される第１パターン２１と、第２アノード端子３２に接続される第２パターン２２と、第３アノード端子３３に接続される第３パターン２３と、カソード端子３４に接続される第４パターン２４とを含む。
【００２８】
ここで、前記第１〜第４のパターン２１〜２４は、エッチング線２７１〜２７４（図３参照）によって互いに離隔して絶縁された状態である。また、前記第４パターン２４は、カソード端子３４に接続されたパターンであって、前記第１パターン２１と第３パターン２３の外側でエッチングされた残りの領域に該当する。すなわち、前記第４パターン２４は、各発光素子３０のカソード端子３４に共通で接続されるように形成される。
【００２９】
また、前記エッチング線２７１〜２７４（図３参照）は、前記第１パターン２１と第４パターン２４を区画して絶縁させる第１エッチング線２７１、前記第１パターン２１と第２パターン２２を絶縁させる第２エッチング線２７２、第２パターン２２と第３パターン２３を絶縁させる第３エッチング線２７３、および第３パターン２３と第４パターン２４を絶縁させる第４エッチング線２７４を含む。
【００３０】
前記遮断パターン４０は図３を参照して説明する。図３は本発明に係る接着剤の流れを遮断するパターンを備えた透明電光板における遮断パターンを示す図である。
【００３１】
図３を参照すると、前記遮断パターン４０は、前記発光素子３０が接着される接着領域２５において各エッチング線２７１〜２７４を挟んで上下側で横および縦方向に一つ以上がエッチングされて離隔空間を形成する。そして、前記遮断パターン４０は、前記第１〜第４パターン２１〜２４の端部にわたって形成される接着領域２５内に塗布される接着剤が他のパターンへ移動することを遮断する。
【００３２】
すなわち、前記遮断パターン４０は、例えば十字型であって、第１〜第４パターン２１〜２４を区画する第１〜第４エッチング線２７１〜２７４を挟んでさらに一つ以上の遮断パターン領域がエッチングされてパターンを形成したものである。
【００３３】
前記遮断パターン４０は、前記第１パターン２１と第２パターン２２を区画する第２エッチング線２７２を挟んで両側と上下側で１つ以上がエッチングされて絶縁されたパターン領域を形成する第１遮断パターン領域４１と、前記第２パターン２２と第３パターン２３との間を区画する第３エッチング線２７３の上下側で１つ以上がエッチングされて絶縁されたパターン領域を形成する第２遮断パターン領域４２と、前記第３パターン２３と第４パターン２４との間を区画する第４エッチング線２７４を挟んで一つ以上がエッチングされ、その間に絶縁されたパターン領域を形成する第３遮断パターン領域４３と、前記第１パターン２１と第４パターン２４との間を区画する第１エッチング線２７１を挟んで一つ以上がエッチングされて絶縁された領域を形成する第４遮断パターン領域４４とを含む。
【００３４】
前記第１遮断パターン領域４１は、前記第２エッチング線２７２を挟んで上下側で横方向に延びる第１上部横線４１１および第１下部横線４１１’、並びに前記第１上部横線４１１と第１下部横線４１１’の両端から垂直方向に延びる第１側部縦線４１２で区画された領域に形成される。
【００３５】
ここで、前記第１上部横線４１１、第１下部横線４１１’および第１側部縦線４１２は、前記第２エッチング線２７２を挟んで上下側に離隔するようにエッチングされ、その間に絶縁された領域を形成する。また、図面ではそれぞれ１つとしてエッチングされたが、それ以上も可能である。
【００３６】
前記第２遮断パターン領域４２は、前記第３エッチング線２７３を挟んで左右両側で縦方向に延びる第２一側縦線４２１と第２他側縦線４２１’がエッチングされ、前記第２一側縦線４２１と、第２他側縦線４２１’の両端から横方向に延びる第２横線４２２で区画された領域に形成される。
前述したように、前記第２一側縦線４２１、第２他側縦線４２１’および第２横線４２２は１回エッチングされたものと図示されたが、それ以上も可能である。
【００３７】
前記第３遮断パターン領域４３は、前記第４エッチング線２７４を挟んで上下側で横方向に延びる第３上部横線４３１および第３下部横線４３１’、並びに前記第３上部横線４３１と第３下部横線４３１’の両端から垂直方向に延びる第３側部縦線４３２で区画される領域に形成される。
【００３８】
ここで、前記第３上部横線４３１、第３下部横線４３１’および第３側部縦線４３２は、前記第４エッチング線２７４を挟んで上下側に離隔してエッチングされ、図面ではそれぞれ１つとしてエッチングされたが、それ以上も可能である。
【００３９】
第４遮断パターン領域４４は、前記第１エッチング線２７１を挟んで左右両側で縦方向に延びる第４一側縦線４４１と第４他側縦線４４１’がエッチングされ、前記第４一側縦線４４１と第４他側縦線４４１’の両端から横方向に延びる第４横線４４２によって区画された領域に形成される。
前述したように、前記第４一側縦線４４１、第４他側縦線４４１’および第４横線４４２は１回エッチングされたものと図示されたが、それ以上も可能である。
【００４０】
本発明は、前述したような遮断パターンを介して発光素子３０の接着領域に塗布される接着剤が前記第１〜第４パターン２１〜２４の間に絶縁された第１〜第４遮断パターン領域４１〜４４が形成されることにより、接着剤の流れが遮断されるか、或いは互いに異なるパターン間の電気的通電によるショートが遮断される。
【００４１】
図４は本発明に係るパターン間の干渉を防止するパターン安全装置を備えた透明電光板の第１実施例を示す図である。ここで、第１実施例は４電極発光素子を一例として説明する。
【００４２】
図４を参照すると、前記第１パターン〜第４パターン２１〜２４は、図示の如く、それぞれ接着剤５０が塗布される。このとき、塗布された接着剤５０は、伝導性接着剤であって、前記発光素子３０が装着されると、第１アノード端子３１と第１パターン２１間、第２アノード端子３２と第２パターン２２間、第３アノード端子３３と第３パターン２３間、およびカソード端子３４と第４パターン２４間の電気的通電ができるように接着させる。
【００４３】
従って、前記発光素子３０が前記接着領域２５に装着されると、各パターンに塗布された接着剤は、前記発光素子３０によって加圧されて周辺に広がることになる。このとき、接着剤５０は、前記接着領域２５内の各パターン２１〜２４の面積に比べてその量が多い場合、前記発光素子３０が加圧されながら広がることになり、前記エッチング線２７１〜２７４を越えて他のパターンへ流れることができる。
【００４４】
しかし、本発明は、上述したように、各エッチング線２７１〜２７４を挟んで横方向および縦方向に区画される一つ以上の遮断パターン領域４１〜４４によって接着剤の移動を遮断することにより、他のパターンの領域内に流れることを防止することができる。
【００４５】
また、本発明は、前記発光素子３０が前記接着領域２５の定位置に装着されずに、左右に捩れた状態で装着される場合を介して、従来と比較して説明する。たとえば、従来は、第２アノード端子３２が右に捩れた状態で装着される場合には、前記第２アノード端子３２が第１パターン２１と第２パターン２２にわたって置かれるため、ショートが発生する。
【００４６】
しかし、本発明は、第１パターン２１と第２パターン２２との間に前記第１遮断パターン領域４１が形成されることにより、前記第２アノード端子３２が捩れた状態で装着されたとしても、前記第２パターンの外側に位置した領域が第１遮断パターン領域４１に跨ることにより、ショートが発生しない。
【００４７】
図５は本発明に係るパターン間の干渉を防止するパターン安全装置を備えた透明電光板における第２実施例を示す図である。第２実施例は２電極発光素子を例として説明する。
【００４８】
図５を参照すると、前記パターン２１、２２は、２電極発光素子３０のアノード端子に電気的信号を印加する第１パターン２１と、前記２電極発光素子３０のカソード端子に電気的信号を印加する第２パターン２２とを含む。
接着領域２５は、前記第１パターン２１と前記第２パターン２２の端部にわたって２電極発光素子３０の大きさと一致する領域に設定される。
【００４９】
また、前記遮断パターン４０は、前記第１パターン２１と前記第２パターン２２との間を区画するエッチング線２７５を挟んで上下側に相互離隔して一つ以上のエッチング線４１１、４１１’、４１２、４１２’によって区画された領域に形成される。
また、前記接着剤５０は、前記接着領域２５における前記第１パターン２１と第２パターン２２にそれぞれ塗布される。
【００５０】
従って、前記発光素子３０が前記接着領域２５に装着されると、前記第１パターン２１と第２パターン２２にそれぞれ塗布された接着剤５０が加圧されながら周辺に広がって前記発光素子３０を接着させる。ここで、前記接着剤５０は、前記発光素子３０のアノード端子とカソード端子に電気的信号の通電ができるように伝導性接着剤を使用する。
前記接着剤５０は、前記発光素子３０が装着されることにより周辺に広がりながら他のパターンに流れることが前記遮断パターン４０によって防止される。
図６は本発明に係るパターン間の干渉を防止するパターン安全装置の第３実施例を示す図である。
図６を参照すると、第３実施例は２電極発光素子の他の例を説明する。
【００５１】
図６を参照すると、前記パターン２１、２２は、２電極発光素子３０のアノード端子に電気的信号を印加する第１パターン２１と、前記２電極発光素子３０のカソード端子に電気的信号を印加する第２パターン２２とを含む。
接着領域２５は、前記第１パターン２１と前記第２パターン２２の端部にわたって２電極発光素子３０の大きさと一致する領域に設定される。
【００５２】
また、前記遮断パターン４０は、前記第１パターン２１と前記第２パターン２２の領域にわたって上下側に相互離隔して一つ以上のエッチング線４１１、４１１’、４１１”、４１２、４１２’によって区画された第１遮断パターン領域４１と第２遮断パターン領域４２を含む。
【００５３】
前記第１遮断パターン領域４１は、第１上部横線４１１と第１下部横線４１１’が上下側に離隔し、前記第１一側縦線４２１と第１他側縦線４２１’が両側から縦方向に延びる領域に形成される。
【００５４】
前記第２遮断パターン領域４２は、前記第１下部横線４１１’から離隔する第１最下部横線４１１”が横方向に延び、前記第１下部横線４１１’と前記第１最下部横線４１１”の両端から縦方向に延びる第１一側縦線４１２と第１他側縦線４１２’によって区画された領域に形成される。
【００５５】
また、前記接着剤５０は、前記接着領域２５における前記第１パターン２１と第２パターン２２にそれぞれ塗布され、前記第１パターン２１と第１遮断パターン領域４１にわたる領域と、第２パターン２２と第２遮断パターン領域４２にわたる領域にそれぞれ塗布される。
【００５６】
従って、前記発光素子３０が前記接着領域２５に装着されると、前記第１パターン２１と第２パターン２２にそれぞれ塗布された接着剤５０が加圧されながら周辺に広がることにより、前記発光素子３０を接着させる。ここで、前記接着剤５０は、前記発光素子３０のアノード端子とカソード端子に電気的信号の通電ができるように伝導性接着剤を使用する。
前記接着剤５０は、前記発光素子３０が装着されることにより周辺に広がりながら他のパターンに流れることが前記遮断パターン４０によって遮断される。
【００５７】
このように、本発明は、各パターンの間が絶縁できるように区画されたエッチング線を挟んでさらにエッチングされた一つ以上の遮断パターン領域４１〜４４を備えた遮断パターン４０を形成することにより、接着剤がパターンの面積に比べて多い量が塗布されるとしても、他のパターン領域への流れ込みを遮断することができる。
【００５８】
したがって、本発明は、各パターンに塗布される伝導性接着剤が、前記発光素子が装着されることにより広がるが、前記遮断パターンによってその流れが他のパターンに流れ込まないように遮断する。よって、本発明は、互いに異なる領域に塗布された伝導性接着剤が他のパターンに流れ込んで接触する干渉現象によって、絶縁されるべき各パターンの間が電気的に通電されるショートを防止することができる。
また、本発明は、接着剤が他のパターン領域へ流れるか或いは接着領域の外へ流れるため、審美感を悪化させる不良要因を防止することができる。
【００５９】
また、本発明は、前述したような遮断パターンが、前記接着領域内で各パターンの間に絶縁された別途の空間を形成することにより、前記発光素子が前記接着領域内で定位置に接着されずに捩れた状態で接着されて前記発光素子の一つの端子が２つのパターンにわたって接着されるために発生するショート不良を解決することができる。
【００６０】
すなわち、本発明は、前記パターンの間に絶縁された空間を形成することにより、前記発光素子が捩れた状態で接着領域に装着されるとしても、２つのパターンにわたって装着されるものではなく、一つのパターンと遮断パターンにわたって装着されるため、互いに異なるパターンによる干渉が発生しない。
【００６１】
以上、本発明は記載された具体例について詳細に説明したが、本発明の技術思想の範囲内で様々な変形および修正を加え得るのは当業者にとって明らかであり、それらの変形および修正も添付された特許請求の範囲に属するのは当たり前である。
【産業上の利用可能性】
【００６２】
本発明は、審美感と干渉による不良を防止することができるため、広告用およびインテリア用として使用される透明電光板に適用可能である。
【図１】
2016511547.tif 000003
【図２】
2016511547.tif 000004
【図３】
2016511547.tif 000005
【図４】
2016511547.tif 000006
【図５】
2016511547.tif 000007
【図６】
2016511547.tif 000008
【国際調査報告】
2016511547.tif 000009
2016511547.tif 000010
2016511547.tif 000011
2016511547.tif 000012